(57)【要約】  本発明は、測定間隔の設定方法、ネットワークデバイス及び端末デバイスを提供する。該方法は、第１のネットワークデバイスが端末デバイスが第２のネットワークデバイスの存在する第１の周波数を測定する必要があると決定する場合、指示情報を生成することと、該第１のネットワークデバイスが該端末デバイスに該指示情報を送信することとを含み、該指示情報は、該端末デバイスが該第１の周波数を測定するように指示する。本発明の実施例では、第１のネットワークデバイスが、第２のネットワークデバイスが存在する第１の周波数を測定するために端末デバイスを必要とするとき、端末デバイスに該第１の周波数を測定するように指示する指示情報を端末デバイスに送信することにより、測定開始側が被測定側を測定する際にシステムの動作に与える影響を回避する。
2021508959.tif 000002
【特許請求の範囲】
【請求項１】
第１のネットワークデバイスが、端末デバイスが第２のネットワークデバイスの存在する第１の周波数を測定する必要があると決定する場合、指示情報を生成することと、
前記第１のネットワークデバイスが前記端末デバイスに前記指示情報を送信することとを含み、
前記指示情報は、前記端末デバイスが前記第１の周波数を測定するように指示する
ことを特徴とする測定間隔の設定方法。
【請求項２】
前記方法は、さらに、
前記第１のネットワークデバイスが前記端末デバイスにより送信された第１のメッセージを受信することと、
前記第１のネットワークデバイスが前記第１のメッセージに基づいて前記第２のネットワークデバイスに第２のメッセージを送信することとを含み、
前記第１のメッセージが、前記第１のネットワークデバイスが前記端末デバイスに第１の測定間隔を設定するように要求するメッセージを含み、前記第１の測定間隔が、前記端末デバイスが前記第１の周波数を測定するために用いられ、
前記第２のメッセージが、前記第２のネットワークデバイスが前記端末デバイスに前記第１の測定間隔を設定するように要求するメッセージを含む
ことを特徴とする請求項１に記載の測定間隔の設定方法。
【請求項３】
前記方法は、さらに、
前記第１のネットワークデバイスが前記第２のネットワークデバイスにより送信された前記第２のメッセージの応答メッセージを受信することと、
前記端末デバイスが前記第１の測定間隔に応じて前記第１の周波数を測定するように、前記第１のネットワークデバイスが前記第２のメッセージの応答メッセージに基づいて前記端末デバイスに前記第１のメッセージの応答メッセージを送信することとを含み、
前記第２のメッセージの応答メッセージが前記第１の測定間隔を含み、
前記第１のメッセージの応答メッセージが前記第１の測定間隔を含む
ことを特徴とする請求項２に記載の測定間隔の設定方法。
【請求項４】
前記指示情報は、前記端末デバイスが第２の測定間隔に基づいて前記第１の周波数を測定するように指示する
ことを特徴とする請求項１に記載の測定間隔の設定方法。
【請求項５】
前記指示情報を生成する前に、前記方法は、さらに、
前記第１のネットワークデバイスが前記第２のネットワークデバイスに第３のメッセージを送信することと、
前記第１のネットワークデバイスが前記第２のネットワークデバイスにより送信された前記第３のメッセージの応答メッセージを受信することとを含み、
前記第３のメッセージは、前記第２のネットワークデバイスが前記端末デバイスに前記第２の測定間隔を設定するように要求するメッセージを含み、
前記第３のメッセージの応答メッセージが前記第２の測定間隔の設定結果及び／又は前記第２の測定間隔を含み、
前記指示情報を生成することは、
前記第１のネットワークデバイスが前記第３のメッセージの応答メッセージに基づいて前記指示情報を生成することを含む
ことを特徴とする請求項４に記載の測定間隔の設定方法。
【請求項６】
前記第２の測定間隔は、前記第２のネットワークデバイスが前記第３のメッセージを受信する前に又は後に、前記端末デバイスに設定された測定間隔である
ことを特徴とする請求項５に記載の測定間隔の設定方法。
【請求項７】
前記第１のネットワークデバイスと前記第２のネットワークデバイスとは、異なる通信システムにそれぞれ属する
ことを特徴とする請求項１〜６のいずれか１項に記載の測定間隔の設定方法。
【請求項８】
端末デバイスが第１のネットワークデバイスにより送信された指示情報を受信することと、
前記端末デバイスが前記指示情報に基づいて第１の周波数を測定することとを含み、
前記指示情報は、前記端末デバイスが前記第２のネットワークデバイスの存在する第１の周波数を測定するように指示する
ことを特徴とする測定間隔の設定方法。
【請求項９】
前記方法は、さらに、
前記第１のネットワークデバイスが第１のメッセージに基づいて前記第２のネットワークデバイスに第２のメッセージを送信するように、前記端末デバイスが前記第１のネットワークデバイスに前記第１のメッセージを送信することと、
前記端末デバイスが前記第１のネットワークデバイス又は前記第２のネットワークデバイスにより送信された前記第１のメッセージの応答メッセージを受信することとを含み、
前記第１のメッセージが、前記第１のネットワークデバイスが前記端末デバイスに第１の測定間隔を設定するように要求するメッセージを含み、前記第２のメッセージが、前記第２のネットワークデバイスが前記端末デバイスに前記第１の測定間隔を設定するように要求するメッセージを含み、
前記第１のメッセージの応答メッセージが前記第１の測定間隔を含む
ことを特徴とする請求項８に記載の測定間隔の設定方法。
【請求項１０】
前記方法は、さらに、
前記端末デバイスが前記第２のネットワークデバイスに第４のメッセージを送信することと、
前記端末デバイスが前記第１のネットワークデバイス又は前記第２のネットワークデバイスにより送信された前記第４のメッセージの応答メッセージを受信することとを含み、
前記第４のメッセージは、前記第２のネットワークデバイスが前記端末デバイスに第１の測定間隔を設定するように要求するメッセージを含み、
前記第４のメッセージの応答メッセージが前記第１の測定間隔を含む
ことを特徴とする請求項８に記載の測定間隔の設定方法。
【請求項１１】
前記第４のメッセージが、前記第１のネットワークデバイスの識別情報を含む
ことを特徴とする請求項１０に記載の測定間隔の設定方法。
【請求項１２】
前記指示情報は、前記端末デバイスが第２の測定間隔に応じて前記第１の周波数を測定するように指示する
ことを特徴とする請求項８に記載の測定間隔の設定方法。
【請求項１３】
前記第２の測定間隔は、前記第２のネットワークデバイスが前記第１のネットワークデバイスにより送信された第３のメッセージを受信する前に又は後に、前記端末デバイスに設定された測定間隔であり、前記第３のメッセージは、前記第２のネットワークデバイスが前記端末デバイスに前記第２の測定間隔を割り当てるように要求するメッセージを含む
ことを特徴とする請求項１２に記載の測定間隔の設定方法。
【請求項１４】
前記第１のネットワークデバイスと前記第２のネットワークデバイスとは、異なる通信システムにそれぞれ属する
ことを特徴とする請求項８〜１３のいずれか１項に記載の測定間隔の設定方法。
【請求項１５】
第２のネットワークデバイスが第１のネットワークデバイスにより送信された第３のメッセージを受信することと、
前記第１のネットワークデバイスが第３のメッセージの応答メッセージに基づいて指示情報を生成するように、前記第２のネットワークデバイスが前記第１のネットワークデバイスに前記第３のメッセージの応答メッセージを送信することとを含み、
前記第３のメッセージは、前記第２のネットワークデバイスが前記端末デバイスに第２の測定間隔を設定するように要求するメッセージを含み、
前記第３のメッセージの応答メッセージが前記第２の測定間隔の設定結果及び／又は前記第２の測定間隔を含み、前記指示情報は、前記端末デバイスが前記第２の測定間隔に応じて前記第２のネットワークデバイスの存在する第１の周波数を測定するように指示する
ことを特徴とする測定間隔の設定方法。
【請求項１６】
前記第２の測定間隔は、前記第２のネットワークデバイスが前記第３のメッセージを受信する前に又は後に、前記端末デバイスに設定された測定間隔である
ことを特徴とする請求項１５に記載の測定間隔の設定方法。
【請求項１７】
前記第１のネットワークデバイスと前記第２のネットワークデバイスとは、異なる通信システムにそれぞれ属する
ことを特徴とする請求項１５又は１６に記載の測定間隔の設定方法。
【請求項１８】
処理ユニットと、送受信ユニットと、を備えるネットワークデバイスであって、
前記処理ユニットは、端末デバイスが第２のネットワークデバイスの存在する第１の周波数を測定する必要があると決定する場合、指示情報を生成するように構成され、前記指示情報は、前記端末デバイスが前記第１の周波数を測定するように指示し、
前記送受信ユニットは、前記端末デバイスに前記指示情報を送信するように構成される
ことを特徴とするネットワークデバイス。
【請求項１９】
前記送受信ユニットは、さらに、
前記端末デバイスにより送信された第１のメッセージを受信し、
前記第１のメッセージに基づいて前記第２のネットワークデバイスに第２のメッセージを送信するように構成され、
前記第１のメッセージは、前記ネットワークデバイスが前記端末デバイスに第１の測定間隔を設定するように要求するメッセージを含み、前記第１の測定間隔が、前記端末デバイスが前記第１の周波数を測定するために用いられ、
前記第２のメッセージが、前記第２のネットワークデバイスが前記端末デバイスに前記第１の測定間隔を設定するように要求するメッセージを含む
ことを特徴とする請求項１８に記載のネットワークデバイス。
【請求項２０】
前記送受信ユニットは、さらに
前記第２のネットワークデバイスにより送信された前記第２のメッセージの応答メッセージを受信し、
前記端末デバイスが第１の測定間隔に応じて前記第１の周波数を測定するように、前記第２のメッセージの応答メッセージに基づいて前記端末デバイスに前記第１のメッセージの応答メッセージを送信するように構成され、
前記第１のメッセージの応答メッセージが前記第１の測定間隔を含み、
前記第２のメッセージの応答メッセージが前記第１の測定間隔を含む
ことを特徴とする請求項１９に記載のネットワークデバイス。
【請求項２１】
前記指示情報は、前記端末デバイスが第２の測定間隔に基づいて前記第１の周波数を測定するように指示する
ことを特徴とする請求項１８に記載のネットワークデバイス。
【請求項２２】
前記送受信ユニットは、さらに、
前記処理ユニットが指示情報を生成する前に、前記第２のネットワークデバイスに第３のメッセージを送信し、
前記第２のネットワークデバイスにより送信された前記第３のメッセージの応答メッセージを受信するように構成され、
前記第３のメッセージは、前記第２のネットワークデバイスが前記端末デバイスに前記第２の測定間隔を設定するように要求するメッセージを含み、
前記第３のメッセージの応答メッセージが前記第２の測定間隔の設定結果及び／又は前記第２の測定間隔を含み、
前記処理ユニットは、前記第３のメッセージの応答メッセージに基づいて前記指示情報を生成するように構成される
ことを特徴とする請求項２１に記載のネットワークデバイス。
【請求項２３】
前記第２の測定間隔は、前記第２のネットワークデバイスが前記第３のメッセージを受信する前に又は後に、前記端末デバイスに設定された測定間隔である
ことを特徴とする請求項２２に記載のネットワークデバイス。
【請求項２４】
前記ネットワークデバイスと前記第２のネットワークデバイスとは、異なる通信システムにそれぞれ属する
ことを特徴とする請求項１８〜２３のいずれか１項に記載のネットワークデバイス。
【請求項２５】
送受信ユニットと、測定ユニットと、を備える端末デバイスであって、
前記送受信ユニットは、第１のネットワークデバイスにより送信された指示情報を受信するように構成され、前記指示情報は、前記端末デバイスが前記第２のネットワークデバイスの存在する第１の周波数を測定するように指示する、
前記測定ユニットは、前記指示情報に基づいて前記第１の周波数を測定するように構成される
ことを特徴とする端末デバイスで。
【請求項２６】
前記送受信ユニットは、さらに、
前記第１のネットワークデバイスが第１のメッセージに基づいて前記第２のネットワークデバイスに第２のメッセージを送信するように、前記第１のネットワークデバイスに第１のメッセージを送信し、
前記第１のネットワークデバイス又は前記第２のネットワークデバイスににより送信された前記第１のメッセージの応答メッセージを受信し、
前記第１のメッセージが、前記第１のネットワークデバイスが前記端末デバイスに第１の測定間隔を設定するように要求するメッセージを含み、前記第２のメッセージが、前記第２のネットワークデバイスが前記端末デバイスに前記第１の測定間隔を設定するように要求するメッセージを含み、
前記第１のメッセージの応答メッセージが前記第１の測定間隔を含む
ことを特徴とする請求項２５に記載の端末デバイスで。
【請求項２７】
前記送受信ユニットは、さらに、
前記第２のネットワークデバイスに第４のメッセージを送信し、
前記第１のネットワークデバイス又は前記第２のネットワークデバイスにより送信された前記第４のメッセージの応答メッセージを受信するように構成され、
前記第４のメッセージは、前記第２のネットワークデバイスが前記端末デバイスに第１の測定間隔を設定するように要求するメッセージを含み、
前記第４のメッセージの応答メッセージが前記第１の測定間隔を含む
ことを特徴とする請求項２５に記載の端末デバイスで。
【請求項２８】
前記第４のメッセージが、前記第１のネットワークデバイスの識別情報を含む
ことを特徴とする請求項２７に記載の端末デバイスで。
【請求項２９】
前記指示情報は、前記端末デバイスが第２の測定間隔に応じて前記第１の周波数を測定するように指示する
ことを特徴とする請求項２５に記載の端末デバイスで。
【請求項３０】
前記第２の測定間隔は、前記第２のネットワークデバイスが前記第１のネットワークデバイスにより送信された第３のメッセージを受信する前に又は後に、前記端末デバイスに設定された測定間隔であり、前記第３のメッセージは、前記第２のネットワークデバイスが前記端末デバイスに前記第２の測定間隔を割り当てるように要求するメッセージを含む
ことを特徴とする請求項２９に記載の端末デバイスで。
【請求項３１】
前記第１のネットワークデバイスと前記第２のネットワークデバイスとは、異なる通信システムにそれぞれ属する
ことを特徴とする請求項２５〜３０のいずれか１項に記載の端末デバイスで。
【請求項３２】
送受信ユニットを備えるネットワークデバイスであって、
前記送受信ユニットは、
第１のネットワークデバイスにより送信された第３のメッセージを受信し、
前記第１のネットワークデバイスが前記第３のメッセージの応答メッセージに基づいて指示情報を生成するように、前記第１のネットワークデバイスに前記第３のメッセージの応答メッセージを送信するように構成され、
前記第３のメッセージは、前記第２のネットワークデバイスが前記端末デバイスに第２の測定間隔を設定するように要求するメッセージを含み、
前記第３のメッセージの応答メッセージが前記第２の測定間隔の設定結果及び／又は前記第２の測定間隔を含み、前記指示情報は、前記端末デバイスが前記第２の測定間隔に応じて前記第２のネットワークデバイスの存在する第１の周波数を測定するように指示する
ことを特徴とするネットワークデバイス。
【請求項３３】
前記第２の測定間隔は、前記第２のネットワークデバイスが前記第３のメッセージを受信する前に又は後に、前記端末デバイスに設定された測定間隔である
ことを特徴とする請求項３２に記載のネットワークデバイス。
【請求項３４】
前記第１のネットワークデバイスと前記第２のネットワークデバイスとは、異なる通信システムにそれぞれ属する
ことを特徴とする請求項３２又は３３に記載のネットワークデバイス。
【発明の詳細な説明】
【技術分野】
【０００１】
本発明の実施例は、通信分野に関し、具体的に、測定間隔の設定方法、ネットワークデバイス及び端末デバイスに関する。
【背景技術】
【０００２】
人々が速度、遅延、高速移動性、エネルギー効率に対する追求、および将来の生活におけるサービスが多様性、複雑になる。
【０００３】
このために、第３世代パートナーシッププロジェクト( Ｔｈｅ３ ｒｄ Ｇｅｎｅｒａｔｉｏｎ Ｐａｒｔｎｅｒｓｈｉｐ Ｐｒｏｊｅｃｔ、３ ＧＰＰ )の国際標準団体は、５Ｇ（５−Ｇｅｎｅｒａｔｉｏｎ）という第五代移動通信技術の開発を開始した。５Ｇの主な適用シーンは、拡張モバイルウルトラワイドバンド( Ｅｎｈａｎｃｅ Ｍｏｂｉｌｅ Ｂｒｏａｄｂａｎｄ、ｅＭＢＢ )、低遅延高信頼通信( Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ、ＵＲＬＬＣ )、大規模機械クラス通信( ｍａｓｓｉｖｅ ｍａｃｈｉｎｅ ｔｙｐｅ ｏｆ Ｃｏｍｍｕｎｉｃａｔｉｏｎ、ｍＭＴＣ )である。
【０００４】
新しいラジオ( Ｎｅｗ Ｒａｄｉｏ、ＮＲ )の早期展開において、完全なＮＲカバレージは、取得することが困難であるため、典型的なネットワークカバレージは、広域のロングタームエボリューション( Ｌｏｎｇ Ｔｅｒｍ Ｅｖｏｌｕｔｉｏｎ、ＬＴＥ )カバレージおよびＮＲの孤立カバレージモードである。さらに、大量のＬＴＥの展開数が６ギガヘルツ( ＧＨｚ )以下であるため、５Ｇに利用可能な６ ＧＨｚ以下のスペクトルは少ない。したがって、ＮＲは６ ＧＨｚ以上のスペクトル適用を検討しなければならず、高周波数帯域のカバレッジは限られており、信号のフェージングは速い。
【０００５】
従来技術では、移動体通信事業者のＬＴＥの早期投資の保護のために、ＬＴＥとＮＲとの間の密接な相互通信( ｔｉｇｈｔ ｉｎｔｅｒｗｏｒｋｉｎｇ )の動作モードが提案されている。具体的に、ＬＴＥ−ＮＲデュアルコネクティビティ( Ｄｕａｌ Ｃｏｎｎｅｃｔｉｏｎ、ＤＣ )伝送データは、帯域幅の組み合わせによってサポートされ、システムスループットを向上させる。
【０００６】
しかしながら、上述のＬＴＥとＮＲとの間の密接な相互通信( ｔｉｇｈｔ ｉｎｔｅｒｗｏｒｋｉｎｇ )の動作モードについて、ＬＴＥ等の測定の開始側は、ＮＲ等の被測定側により端末デバイスに測定間隔が設定されているか否かを知っていないため、測定開始側が被測定側を測定する際にシステム操作に影響を与える可能性がある。
【発明の概要】
【０００７】
本願は、ＮＲ等の被測定側を測定する際のＬＴＥ等の測定開始側のシステム動作への影響を効果的に回避する測定間隔の設定方法、ネットワークデバイス及び端末デバイスを提供する。
【０００８】
第１の態様は、測定間隔の設定方法を提供し、
第１のネットワークデバイスが端末デバイスが第２のネットワークデバイスの存在する第１の周波数を測定する必要があると決定する場合、指示情報を生成することと、
前記第１のネットワークデバイスが前記端末デバイスに前記指示情報を送信することとを含み、
前記指示情報は、前記端末デバイスが前記第１の周波数を測定するように指示する。
【０００９】
本発明の実施例では、第１のネットワークデバイスが、端末デバイスが第２のネットワークデバイスが存在する第１の周波数を測定する必要があるとき、端末デバイスに該第１の周波数を測定するように指示する指示情報を端末デバイスに送信することにより、測定開始側が被測定側を測定する際にシステムの動作に与える影響を回避する。
【００１０】
いくつかの実施例において、前記方法は、さらに、
前記第１のネットワークデバイスが前記端末デバイスにより送信された第１のメッセージを受信することと、前記第１のネットワークデバイスが前記第１のメッセージに基づいて前記第２のネットワークデバイスに第２のメッセージを送信することとを含み、前記第１のメッセージが、前記第１のネットワークデバイスが前記端末デバイスに第１の測定間隔を設定するように要求するメッセージを含み、前記第１の測定間隔が、前記端末デバイスが前記第１の周波数を測定するために用いられ、前記第２のメッセージが、前記第２のネットワークデバイスが前記端末デバイスに前記第１の測定間隔を設定するように要求するメッセージを含む。
【００１１】
いくつかの実施例において、前記方法は、さらに、
前記第１のネットワークデバイスが前記第２のネットワークデバイスにより送信された前記第２のメッセージの応答メッセージを受信することと、
前記端末デバイスが前記第１の測定間隔に応じて前記第１の周波数を測定するように、前記第１のネットワークデバイスが前記第２のメッセージの応答メッセージに基づいて前記端末デバイスに前記第１のメッセージの応答メッセージを送信することとを含み、
前記第２のメッセージの応答メッセージが前記第１の測定間隔を含み、
前記第１のメッセージの応答メッセージが前記第１の測定間隔を含む。
【００１２】
いくつかの実施例において、前記指示情報は、前記端末デバイスが第２の測定間隔に基づいて前記第１の周波数を測定するように指示する。
【００１３】
本発明の実施例では、第１のネットワークデバイスが、端末デバイスが第２のネットワークデバイスの存在する周波数を測定する必要があるときに、該第１のネットワークデバイスが、該第２のネットワークデバイスが端末デバイスのために測定間隔を設定していることを知ることを可能にし、測定開始側が被測定側を測定する際にシステムの動作に影響を与える可能性のある影響を回避する。
【００１４】
いくつかの実施例において、前記指示情報を生成する前に、前記方法は、さらに、
前記第１のネットワークデバイスが前記第２のネットワークデバイスに第３のメッセージを送信することと、前記第１のネットワークデバイスが前記第２のネットワークデバイスにより送信された前記第３のメッセージの応答メッセージを受信することとを含み、前記第３のメッセージは、前記第２のネットワークデバイスが前記端末デバイスに前記第２の測定間隔を設定するように要求するメッセージを含み、前記第３のメッセージの応答メッセージが前記第２の測定間隔の設定結果及び／又は前記第２の測定間隔を含み、ここで、前記指示情報を生成することは、
前記第１のネットワークデバイスが前記第３のメッセージの応答メッセージに基づいて前記指示情報を生成することを含む。
【００１５】
いくつかの実施例において、前記第２の測定間隔は、前記第２のネットワークデバイスが前記第３のメッセージを受信する前に又は後に、前記端末デバイスに設定された測定間隔である。
【００１６】
いくつかの実施例において、前記第１のネットワークデバイスと前記第２のネットワークデバイスとは、異なる通信システムにそれぞれ属する。
【００１７】
第２の態様は、測定間隔の設定方法を提供し、
端末デバイスが第１のネットワークデバイスにより送信された指示情報を受信することと、前記端末デバイスが前記指示情報に基づいて前記第１の周波数を測定することとを含み、前記指示情報は、前記端末デバイスが前記第２のネットワークデバイスの存在する第１の周波数を測定するように指示する。
【００１８】
いくつかの実施例において、前記方法は、さらに、
前記端末デバイスが前記第１のネットワークデバイスに第１のメッセージを送信することと、前記第１のメッセージが、前記第１のネットワークデバイスが前記端末デバイスに第１の測定間隔を設定するように要求するメッセージを含み、前記第１のネットワークデバイスが前記第１のメッセージに基づいて前記第２のネットワークデバイスに第２のメッセージを送信することと、前記端末デバイスが前記第１のネットワークデバイス又は前記第２のネットワークデバイスにより送信された前記第１のメッセージの応答メッセージを受信することとを含み、前記第２のメッセージが、前記第２のネットワークデバイスが前記端末デバイスに前記第１の測定間隔を設定するように要求するメッセージを含み、前記第１のメッセージの応答メッセージが前記第１の測定間隔を含む。
【００１９】
いくつかの実施例において、前記方法は、さらに、
前記端末デバイスが前記第２のネットワークデバイスに第４のメッセージを送信することと、前記端末デバイスが前記第１のネットワークデバイス又は前記第２のネットワークデバイスにより送信された前記第４のメッセージの応答メッセージを受信することとを含み、前記第４のメッセージは、前記第２のネットワークデバイスが前記端末デバイスに第１の測定間隔を設定するように要求するメッセージを含み、前記第４のメッセージの応答メッセージが前記第１の測定間隔を含む。
【００２０】
いくつかの実施例において、前記第４のメッセージが、前記第１のネットワークデバイスの識別情報を含む。
【００２１】
いくつかの実施例において、前記指示情報は、前記端末デバイスが第２の測定間隔に応じて前記第１の周波数を測定するように指示する。
【００２２】
いくつかの実施例において、前記第２の測定間隔は、前記第２のネットワークデバイスが前記第１のネットワークデバイスにより送信された第３のメッセージを受信する前に又は後に、前記端末デバイスに設定された測定間隔であり、前記第３のメッセージは、前記第２のネットワークデバイスが前記端末デバイスに前記第２の測定間隔を割り当てるように要求するメッセージを含む。
【００２３】
いくつかの実施例において、前記第１のネットワークデバイスと前記第２のネットワークデバイスとは、異なる通信システムにそれぞれ属する。
【００２４】
第３の態様は、測定間隔の設定方法を提供し、
第２のネットワークデバイスが第１のネットワークデバイスにより送信された第３のメッセージを受信することと、
前記第２のネットワークデバイスが前記第１のネットワークデバイスに前記第３のメッセージの応答メッセージを送信することとを含み、
前記第３のメッセージは、前記第２のネットワークデバイスが前記端末デバイスに第２の測定間隔を設定するように要求するメッセージを含み、
前記第３のメッセージの応答メッセージが前記第２の測定間隔の設定結果及び／又は前記第２の測定間隔を含み、前記第１のネットワークデバイスが前記第３のメッセージの応答メッセージに基づいて指示情報を生成するように、前記指示情報は、前記端末デバイスが前記第２の測定間隔に応じて前記第２のネットワークデバイスの存在する第１の周波数を測定するように指示する。
【００２５】
いくつかの実施例において、前記第２の測定間隔は、前記第２のネットワークデバイスが前記第３のメッセージを受信する前に又は後に、前記端末デバイスに設定された測定間隔である。
【００２６】
いくつかの実施例において、前記第１のネットワークデバイスと前記第２のネットワークデバイスとは、異なる通信システムにそれぞれ属する。
【００２７】
第４の態様は、ネットワークデバイスを提供し、処理ユニット及び送受信ユニットを含み、
処理ユニットは、端末デバイスが第２のネットワークデバイスの存在する第１の周波数を測定する必要があると決定する場合、指示情報を生成するように構成され、前記指示情報は、前記端末デバイスが前記第１の周波数を測定するように指示し、
送受信ユニットは、前記端末デバイスに前記指示情報を送信するように構成される。
【００２８】
第５の態様は、ネットワークデバイスを提供し、プロセッサ及び送受信機を含み、
プロセッサは、端末デバイスが第２のネットワークデバイスの存在する第１の周波数を測定する必要があると決定する場合、指示情報を生成するように構成され、前記指示情報は、前記端末デバイスが前記第１の周波数を測定するように指示し、
送受信機は、前記端末デバイスに前記指示情報を送信するように構成される。
【００２９】
第６の態様は、送受信ユニットを含むネットワークデバイスを提供し、前記送受信ユニットは、
第１のネットワークデバイスにより送信された第３のメッセージを受信し、前記第３のメッセージは、前記第２のネットワークデバイスが前記端末デバイスに第２の測定間隔を設定するように要求するメッセージを含み、
前記第１のネットワークデバイスに前記第３のメッセージの応答メッセージを送信するように構成され、前記第３のメッセージの応答メッセージが前記第２の測定間隔の設定結果及び／又は前記第２の測定間隔を含み、前記第１のネットワークデバイスが前記第３のメッセージの応答メッセージに基づいて指示情報を生成するように、前記指示情報は、前記端末デバイスが前記第２の測定間隔に応じて前記第２のネットワークデバイスの存在する第１の周波数を測定するように指示する。
【００３０】
第７の態様は、端末デバイスを提供し、送受信機及びプロセッサを含み、前記送受信機は、
第１のネットワークデバイスにより送信された第３のメッセージを受信し、前記第３のメッセージは、前記第２のネットワークデバイスが前記端末デバイスに第２の測定間隔を設定するように要求するメッセージを含み、
前記第１のネットワークデバイスに前記第３のメッセージの応答メッセージを送信するように構成され、前記第３のメッセージの応答メッセージが前記第２の測定間隔の設定結果及び／又は前記第２の測定間隔を含み、前記第１のネットワークデバイスが前記第３のメッセージの応答メッセージに基づいて指示情報を生成するように、前記指示情報は、前記端末デバイスが前記第２の測定間隔に応じて前記第２のネットワークデバイスの存在する第１の周波数を測定するように指示する。
【００３１】
第８の態様は、端末デバイスを提供し、送受信ユニット及び測定ユニットを含み、
送受信ユニットは、第１のネットワークデバイスにより送信された指示情報を受信するように構成され、前記指示情報は、前記端末デバイスが前記第２のネットワークデバイスの存在する第１の周波数を測定するように指示し、
測定ユニットは、前記指示情報に基づいて前記第１の周波数を測定するように構成される。
【００３２】
第９の態様は、ネットワークデバイスを提供し、送受信機及びプロセッサを含み、
送受信機は、第１のネットワークデバイスにより送信された指示情報を受信するように構成され、前記指示情報は、前記端末デバイスが前記第２のネットワークデバイスの存在する第１の周波数を測定するように指示し、
プロセッサは、前記指示情報に基づいて前記第１の周波数を測定するように構成される。
【００３３】
第１０の態様は、コンピュータプログラムを記憶するためのコンピュータ可読媒体を提供し、コンピュータプログラムが、上記の第１の態様または第２の態様または第３の態様の方法の実施例を実行するための命令を含む。
【００３４】
第１１の態様は、入力インターフェースと、出力インターフェースと、少なくとも１つのプロセッサと、メモリと、を備えるコンピューターチップを提供し、プロセッサは、メモリ内のコードを実行し、コードが実行されると、前述の第２の態様及び様々な実装例における測定間隔の設定方法において端末デバイスによって実行される様々なプロセスを実行することができる。
【００３５】
第１２の態様は、入力インタフェースと、出力インタフェースと、少なくとも１つのプロセッサと、メモリとを備えるコンピュータチップを提供し、前記プロセッサは、前記メモリ内のコードを実行し、前記コードが実行されると、上記第１のまたは第３の態様の測定間隔の設定方法においてネットワークデバイスが実行する様々なプロセスを実行することができる。
【００３６】
第１３の態様は、上記ネットワークデバイスと、上記端末デバイスとを備えた通信システムを提供する。
【図面の簡単な説明】
【００３７】
【図１】本発明の応用シーンの例である。
【図２】本発明の実施例における測定間隔の設定方法のブロック図である。
【図３】本発明の実施例における測定間隔の設定方法の他のブロック図である。
【図４】本発明の実施例におけるネットワークデバイスのブロック図である。
【図５】本発明の実施例における他のネットワークデバイスのブロック図である。
【図６】本発明の実施例における端末デバイスのブロック図である。
【図７】本発明の実施例における他の端末デバイスのブロック図である。
【発明を実施するための形態】
【００３８】
図１は、本発明の実施例の応用シーンの模式図である。
【００３９】
図１に示すように、端末デバイス１１０は、第１の通信システムにおける第１のネットワークデバイス１３０と、第２の通信システムにおける第２のネットワークデバイス１２０とに接続され、例えば、この第１のネットワークデバイス１３０は、ロングタームエボリューション( Ｌｏｎｇ Ｔｅｒｍ Ｅｖｏｌｕｔｉｏｎ、ＬＴＥ )におけるネットワークデバイスであり、この第２のネットワークデバイス１２０は、新たなラジオ( Ｎｅｗ Ｒａｄｉｏ、ＮＲ )におけるネットワークデバイスである。
【００４０】
ここで、該第１のネットワークデバイス１３０と該第２のネットワークデバイス１２０とは、複数のセルを含むことができる。
【００４１】
しかし、この端末デバイス１１０は、セル切り替えを行う前に、目標セルの電力(信号品質)を通常測定してこの第１のネットワークデバイス１３０に報告し、この第１のネットワークデバイス１３０は、目標セルへの切り替えを許可するか否かを決定する。
【００４２】
端末デバイス１１０は、目標セルと現在のセルとが同じ周波数(同一周波数測定)であれば、目標セルの信号品質をより容易に測定できるが、端末デバイス１１０は、周波数が異なる場合(異周波数測定)、目標セルの信号品質の測定を行うことが困難である。
【００４３】
論理のみから、最も単純な異周波数測定の解決策は、ＵＥ上で２つの無線周波数( ＲＦ )送受信機を実装することである。しかしながら、デュアルＲＦ送受信機方式は難しく、１つの問題として、追加の送受信機を実装するために追加のコストが必要となるため、コストが高くなりすぎ、もう１つの問題として、特に、デュアルリンクシーンにおいて、両方が近接している場合に、現在の周波数と目標周波数との間の起こり得る干渉が問題がある。
【００４４】
上記課題を解決するために、本発明の実施例では、ネットワークデバイスが端末デバイスのための測定間隔を設定する方法を提案し、デュアルリンクシーンにおいて、端末デバイス１１０のための測定間隔を設定し( ｍｅａｓｕｒｅｍｅｎｔ ｇａｐ )、これにより、端末デバイス１１０の設定された測定間隔を使用して、異周波数測定又は同周波数測定を行うことができ、具体的には、端末デバイス１１０は、目標セルに切り替えて信号品質測定を行い、その後、現在のセルに再度切り戻してもよい(通常の送受信動作を継続する)。
【００４５】
すなわち、端末デバイスが設定した測定間隔(現在のセル)では、データの送信にもデータの受信にも用いられない。
【００４６】
また、本発明の実施例において、第１のネットワークデバイス１３０は、端末デバイス１１０が第２のネットワークデバイス１２０の周波数測定が必要な場合、端末デバイス１１０が１セットのｇａｐ値を要し、すなわち、ネットワークデバイスが１つのｇａｐを必要とする可能性がある。
【００４７】
例えば、ＬＴＥをサポートする無線周波数( ＦＲ１ )とＮＲをサポートするＦＲ２とは独立している。すなわち、端末デバイス１１０は、第１のネットワークデバイス１３０及び第２のネットワークデバイス１１０とは異なる周波数で動作し、これにより、端末デバイス１１０がＦＲ１に対して構成するｇａｐと、端末デバイス１１０がＦＲ２に対して構成するｇａｐとは独立している。
【００４８】
このとき、ＬＴＥ-ＮＲシーンでは、ＮＲ側に対して、どの周波数をセカンダリセル( Ｓｅｃｏｎｄａｒｙ Ｃｅｌｌ、ＳＣｅｌｌ )として設定するかは、第２のネットワークデバイス１２０自身が決定する。したがって、第１のネットワークデバイス１３０が、端末デバイス１１０によって第２のネットワークデバイス１２０が存在する周波数ＦＲ２を測定したい場合、第１のネットワークデバイス１３０は、第２のネットワークデバイス１２０がｇａｐを構成する必要があるかどうかを知らない。これにより、被測定側を測定する際に測定開始側がシステムの動作に影響を与える可能性がある。
【００４９】
例えば、第２のネットワークデバイス１２０により設定された、端末デバイス１１０が動作するＦＲ２がＦＲ１と等しくなく、且つ、この時、第２のネットワークデバイス１２０が端末デバイス１１０にｇａｐも構成されない場合、端末デバイス１１０はｇａｐを構成する必要がある。
【００５０】
また、例えば、この時点で、第２のネットワークデバイス１２０が既に端末デバイス１１０に対してｇａｐを設定している場合には、端末デバイス１１０は、ｇａｐを再設定する必要もない。
【００５１】
また、例えば、このとき、第２のネットワークデバイス１２０も、端末デバイス１１０が動作するＦＲ２がＦＲ１と等しくなるように構成する場合、端末デバイス１１０は、ｇａｐ構成を必要としない。
【００５２】
上記課題を解決するために、本発明の実施例は、測定間隔の設定方法を提供し、第１のネットワークデバイス１３０が、端末デバイス１１０が第２のネットワークデバイス１２０の存在する周波数を測定する必要がある場合に、第１のネットワークデバイス１３０が、第２のネットワークデバイス１２０が端末デバイス１１０のために測定間隔を設定したことを知ることを可能にし、測定開始側が、被測定側を測定する際にシステムの動作に影響を与え得ることを回避する。
【００５３】
なお、図１は、本発明の実施例シーンの一例であり、本発明の実施例は、図１に示すものに限定されない。
【００５４】
例えば、本発明の実施例が適用される通信システムは、少なくとも、第１の通信システムの下の複数のネットワークデバイス及び/又は第２の通信システムの下の複数のネットワークデバイスを含んでもよい。
【００５５】
また、例えば、本発明の実施例におけるシステムと第２の通信システムとは異なるが、第１の通信システムと当該第２の通信システムの具体的な種別は限定されない。例えば、第１の通信システム及び第２の通信システムは、例えば、Ｇｌｏｂａｌ Ｓｙｓｔｅｍ ｏｆ Ｍｏｂｉｌｅ Ｃｏｍｍｕｎｉｃａｔｉｏｎ （ ＧＳＭ )システム、ＣＯＤＥ Ｄｉｖｉｓｉｏｎ Ｍｕｌｔｉｐｌｅ Ａｃｃｅｓｓ （ ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )システム、Ｇｅｎｅｒａｌ  Ｐａｃｋｅｔ  Ｒａｄｉｏ  Ｓｅｒｖｉｃｅ  （  ＧＰＲＳ )、Ｌｏｎｇ Ｔｅｒｍ Ｅｖｏｌｕｔｉｏｎ （ ＬＴＥ )システム、Ｔｉｍｅ  Ｄｉｖｉｓｉｏｎ  Ｄｕｐｌｅｘ （ ＴＤＤ )、Ｕｎｉｖｅｒｓａｌ Ｍｏｂｉｌｅ Ｔｅｌｅｃｏｍｍｕｎｉｃａｔｉｏｎ Ｓｙｓｔｅｍ ( ＵＭＴＳ )等の各種通信システムであってもよい。
【００５６】
なお、本発明は、ネットワークデバイス（該第１のネットワークデバイス〜第４のネットワークデバイス）と端末デバイスと結合し各実施例を説明する。
【００５７】
ここで、ネットワークデバイスは、ネットワーク側の任意のエンティティが信号を送信または受信するために使用することができる。例えば、マシンクラス通信( ＭＴＣ )のユーザ機器、ＧＳＭ又はＣＤＭＡにおける基地局( Ｂａｓｅ Ｔｒａｎｓｃｅｉｖｅｒ Ｓｔａｔｉｏｎ、ＢＴＳ )、ＷＣＤＭＡにおける基地局( ＮｏｄｅＢ )、ＬＴＥにおける発展型基地局( Ｅｖｏｌｕｔｉｏｎａｌ Ｎｏｄｅ Ｂ、ｅＮＢ又はｅＮｏｄｅＢ )、５Ｇネットワークにおける基地局機器等であってもよい。
【００５８】
端末デバイス１１０は、任意の端末デバイスであってよい。具体的には、端末デバイスは、アクセス端末、ユーザ機器( Ｕｓｅｒ  Ｅｑｕｉｐｍｅｎｔ、ＵＥ )、ユーザ機器、ユーザ局、移動局、リモート端末、モバイルデバイス、ユーザ端末、ワイヤレス通信デバイス、ユーザエージェント、またはユーザ装置とも呼ばれ得る、無線アクセスネットワーク( Ｒａｄｉｏ Ａｃｃｅｓｓ Ｎｅｔｗｏｒｋ、ＲＡＮ )を介して１つまたは複数のコアネットワーク( Core Network )と通信し得る。例えば、携帯電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、および５Ｇネットワークにおける端末デバイスなどであり得る。
【００５９】
図２は本発明の実施例における測定検定の設定方法のフローチャートである。
【００６０】
図２に示すように、該方法は、以下のステップを含む。
【００６１】
２１０において、第１のネットワークデバイスが指示情報を生成する。
【００６２】
２２０において、該第１のネットワークデバイスが端末デバイスに該指示情報を送信する。
【００６３】
２３０において、該端末デバイスが該指示情報に基づいて、信号品質を測定する。
【００６４】
具体的に、第１のネットワークデバイスが端末デバイスが第２のネットワークデバイスの存在する第１の周波数を測定する必要があると決定する場合、指示情報を生成し、該指示情報は、該端末デバイスが該第１の周波数を測定するように指示し、該第１のネットワークデバイスが該端末デバイスに該指示情報を送信する。これに対応し、端末デバイスは、第１のネットワークデバイスにより送信された指示情報を受信し、該指示情報に基づいて該第１の周波数を測定する。
【００６５】
なお、本発明の実施例において、この第１のネットワークデバイスは、第２のネットワークデバイスが端末デバイスのための測定間隔を設定する必要があるか否かを不明にした上で、端末デバイスに第１の周波数の測定を指示することができる。
【００６６】
すなわち、端末デバイスは、指示情報を受信した後、第１の周波数の測定時に第２のネットワークデバイスが測定間隔を割り当てる必要があるか否かを判断することができる。
【００６７】
具体的には、この第２のネットワークデバイスが端末デバイスのための測定間隔を設定しておらず、第２の周波数が端末デバイスが動作する第１の周波数と異なる場合、端末デバイスは、第１の周波数を測定するための測定間隔を設定するように第１のネットワークデバイス又は第２のネットワークデバイスに要求することができる。
【００６８】
なお、本発明の実施例における第１の周波数は、第２のネットワークデバイスが位置する中心周波数ポイント及び/又は帯域幅を含むことができ、本発明の実施例は、特に限定されないことを理解されたい。
【００６９】
次に、端末デバイスが第２のネットワークデバイスにより測定間隔を割り当てる必要があり、端末デバイスが計測間隔を取得する実施例について説明する。
【００７０】
１つの実施例において、該端末デバイスが該第１のネットワークデバイスに第１のメッセージを送信し、該第１のメッセージは、該第１のネットワークデバイスが該端末デバイスに第１の測定間隔を設定するように要求するメッセージを含み、これにより、該第１のネットワークデバイスが該第１のメッセージに基づいて該第２のネットワークデバイスに第２のメッセージを送信し、該第２のメッセージは、該第２のネットワークデバイスが該端末デバイスに該第１の測定間隔を設定するように要求するメッセージを含み、該端末デバイスは、該第１のネットワークデバイス又は該第２のネットワークデバイスにより送信された該第１のメッセージの応答メッセージを受信し、該第１のメッセージの応答メッセージが該第１の測定間隔を含む。
【００７１】
該第１のネットワークデバイスは、該端末デバイスにより送信された第１のメッセージを受信し、該第１のネットワークデバイスは、該第１のメッセージに基づいて該第２のネットワークデバイスに第２のメッセージを送信する。
【００７２】
すなわち、端末デバイスが第１のネットワークデバイスに該第１の測定間隔を要求し、次に、該第１のネットワークデバイスが該第２のネットワークデバイスに該第１の測定間隔を要求する。これにより、該第１のネットワークデバイス又は該第２のネットワークデバイスは、該端末デバイスに該第１の測定間隔が含まれる応答メッセージを送信する。
【００７３】
具体的に、該第１のネットワークデバイスは、該第２のネットワークデバイスにより送信された該第２のメッセージの応答メッセージを受信し、該第２のメッセージの応答メッセージが該第１の測定間隔を含み、該第１のネットワークデバイスは、該第２のメッセージの応答メッセージに基づいて該端末デバイスに該第１のメッセージの応答メッセージを送信し、該第１のメッセージの応答メッセージが該第１の測定間隔を含み、これにより、該端末デバイスが該第１の測定間隔に基づいて該第１の周波数を測定する。
【００７４】
他の実施例において、該端末デバイスが該第２のネットワークデバイスに第４のメッセージを送信し、該第４のメッセージは、該第２のネットワークデバイスが該端末デバイスに第１の測定間隔を設定するように要求するメッセージを含み、該端末デバイスは、該第１のネットワークデバイス又は該第２のネットワークデバイスにより送信された該第４のメッセージの応答メッセージを受信し、該第４のメッセージの応答メッセージが該第１の測定間隔を含む。
【００７５】
すなわち、該第２のネットワークデバイスは、該端末デバイスにより送信された該第４のメッセージを受信した後、該端末デバイスに該第４のメッセージの応答メッセージを送信する。
【００７６】
なお、本発明の実施例において、この第１のネットワークデバイスは、第１の周波数を測定するように端末デバイスに直接指示してもよく、端末デバイスが測定間隔に基づいて第１の周波数を測定するように直接指示してもよい。
【００７７】
以下では、第１のネットワークデバイスは、第２のネットワークデバイスが端末デバイスに測定間隔を割り当てる必要があるか否かを知った上で、端末デバイスが第１のネットワークデバイスが存在する第１の周波数を測定するように指示する実装について説明する。
【００７８】
具体的に、第１のネットワークデバイスが端末デバイスが第２のネットワークデバイスの存在する第１の周波数を測定する必要があると決定する場合、指示情報を生成し、該指示情報は、該端末デバイスが第２の測定間隔に基づいて該第１の周波数を測定するように指示する。
【００７９】
１つの実施例において、該第１のネットワークデバイスは、該指示情報を生成する前に、該第２のネットワークデバイスが端末デバイスに測定間隔を構成する必要があるかどうかを決定する。
【００８０】
具体的に、図３に示すように、該第１のネットワークデバイスが該第２のネットワークデバイスが該端末デバイスに測定間隔を設定するかどうかを決定することは、以下のステップを含み、
２０１において、第１のネットワークデバイスが第２のネットワークデバイスに第３のメッセージを送信する。
【００８１】
２０２において、該第２のネットワークデバイスが該第１のネットワークデバイスに該第３のメッセージの応答メッセージを送信する。
【００８２】
２０３において、該第１のネットワークデバイスが該第３のメッセージの応答メッセージに基づいて指示情報を生成する。
【００８３】
具体的に、該第１のネットワークデバイスは、該指示情報を生成する前に、該第２のネットワークデバイスに第３のメッセージを送信し、該第３のメッセージは、該第２のネットワークデバイスが該端末デバイスに該第２の測定間隔を設定するように要求するメッセージを含み、該第１のネットワークデバイスは、該第２のネットワークデバイスにより送信された該第３のメッセージの応答メッセージを受信し、該第３のメッセージの応答メッセージが該第２の測定間隔の設定結果及び／又は該第２の測定間隔を含み、さらに、該第１のネットワークデバイスは、該第３のメッセージの応答メッセージに基づいて該指示情報を生成する。
【００８４】
なお、該第２の測定間隔は、該第２のネットワークデバイスが該第３のメッセージを受信する前に又は後に、該端末デバイスに設定された測定間隔である。本発明の実施例はこれに限定されない。
【００８５】
すなわち、第２のネットワークデバイスが端末デバイスのために第２の測定間隔を設定した場合、第１のネットワークデバイスは、端末が既存の第２の測定間隔を使用して第１の周波数の測定を行うように指示することができ、第２のネットワークデバイスが端末デバイスのための第２の測定間隔を設定しない場合、第２のネットワークデバイスは、端末デバイスのための第２の測定間隔を設定し、第１のネットワークデバイス又は第２のネットワークデバイスは、端末デバイスに、設定された第２の測定間隔を使用して第１の周波数を測定するように指示する。
【００８６】
なお、本発明の実施例は、ネットワークデバイスを提供し、図４に示すように、該ネットワークデバイスは、処理ユニット３１０及び送受信ユニット３２０を含み、
処理ユニット３１０は、端末デバイスが第２のネットワークデバイスの存在する第１の周波数を測定する必要があると決定する場合、指示情報を生成するように構成され、該指示情報は、該端末デバイスが該第１の周波数を測定するように指示し、
送受信ユニット３２０は、該端末デバイスに該指示情報を送信するように構成される。
【００８７】
任意選択で、該送受信ユニット３２０は、さらに、
該端末デバイスにより送信された第１のメッセージを受信し、該第１のメッセージは、該ネットワークデバイスが該端末デバイスに第１の測定間隔を構成するように要求するメッセージを含み、該第１の測定間隔は、該端末デバイスが該第１の周波数を測定するために用いられ、該第１のメッセージに基づいて該第２のネットワークデバイスに第２のメッセージを送信し、該第２のメッセージは、該第２のネットワークデバイスが該端末デバイスに該第１の測定間隔を設定するように要求するメッセージを含む。
【００８８】
任意選択で、該送受信ユニット３２は、さらに、
該第２のネットワークデバイスにより送信された該第２のメッセージの応答メッセージを受信し、該第２のメッセージの応答メッセージが該第１の測定間隔を含み、該第２のメッセージの応答メッセージに基づいて該端末デバイスに該第１のメッセージの応答メッセージを送信し、該第１のメッセージの応答メッセージが該第１の測定間隔を含み、これにより、該端末デバイスが該第１の測定間隔に基づいて該第１の周波数を測定する。
【００８９】
任意選択で、該指示情報は、該端末デバイスが第２の測定間隔に基づいて該第１の周波数を測定するように指示する。
【００９０】
任意選択で、該送受信ユニット３２は、さらに、
該処理ユニット３１０が指示情報を生成する前に、該第２のネットワークデバイスに第３のメッセージを送信し、該第３のメッセージは、該第２のネットワークデバイスが該端末デバイスに該第２の測定間隔を設定するように要求するメッセージを含み、該第２のネットワークデバイスにより送信された該第３のメッセージの応答メッセージを受信し、該第３のメッセージの応答メッセージが該第２の測定間隔の設定結果及び／又は該第２の測定間隔を含み、ここで、該処理ユニット３１０は、
該第３のメッセージの応答メッセージに基づいて該指示情報を生成する。
【００９１】
任意選択で、該第２の測定間隔は、該第２のネットワークデバイスが該第３のメッセージを受信する前に又は後に、該端末デバイスに設定された測定間隔である。
【００９２】
任意選択で、該ネットワークデバイスと該第２のネットワークデバイスとは、異なる通信システムにそれぞれ属する。
【００９３】
本発明の実施例は、また、ネットワークデバイスを提供する。具体的に、図４に示すように、該送受信ユニット３２０は、
１のネットワークデバイスにより送信された第３のメッセージを受信し、該第３のメッセージは、該第２のネットワークデバイスが該端末デバイスに第２の測定間隔を設定するように要求するメッセージを含み、
該第１のネットワークデバイスに該第３のメッセージの応答メッセージを送信し、該第３のメッセージの応答メッセージが該第２の測定間隔の設定結果及び／又は該第２の測定間隔を含み、これにより、該第１のネットワークデバイスが該第３のメッセージの応答メッセージに基づいて指示情報を生成し、該指示情報は、該端末デバイスが該第２の測定間隔に基づいて該第２のネットワークデバイスの存在する第１の周波数を測定するように指示する。
【００９４】
任意選択で、該第２の測定間隔は、該第２のネットワークデバイスが該第３のメッセージを受信する前に又は後に、該端末デバイスに設定された測定間隔である。
【００９５】
任意選択で、該第１のネットワークデバイスと該第２のネットワークデバイスとは、異なる通信システムにそれぞれ属する。
【００９６】
なお、処理ユニット３１０はプロセッサにより実現され、送受信ユニット３２０は送受信機により実現されてもよい。図５に示すように、ネットワークデバイス４００は、プロセッサ４１０、送受信機４２０、及びメモリ４３０を含み得る。ここで、メモリ４３０は、指示情報を記憶するために使用されてもよく、プロセッサ４１０が実行するコード、命令などを記憶するために使用されてもよい。ネットワークデバイス４００の各構成要素は、データバスの他に、電源バス、制御バス、ステータス信号バス等のバスシステムにより接続されている。
【００９７】
図５に示すネットワークデバイス４００は、上述の図２及び図３の方法の実施例においてネットワークデバイスにより実施される様々なプロセスを実施することができ、重複を避けるためにここで説明を省略する。
【００９８】
図６は本発明の実施例における端末デバイスのブロック図である。
【００９９】
具体的に、図６に示すように、該端末デバイス５００は、送受信ユニット５１０及び測定ユニット５２０を含み、
送受信ユニット５１０は、第１のネットワークデバイスにより送信された指示情報を受信し、該指示情報は、該端末デバイスが該第２のネットワークデバイスの存在する第１の周波数を測定するように指示し、
測定ユニット５２０は、該指示情報に基づいて該第１の周波数を測定する。
【０１００】
任意選択で、該送受信ユニット５１は、さらに、
該第１のネットワークデバイスに第１のメッセージを送信し、該第１のメッセージは、該第１のネットワークデバイスが該端末デバイスに第１の測定間隔を設定するように要求するメッセージを含み、これにより、該第１のネットワークデバイスが該第１のメッセージに基づいて該第２のネットワークデバイスに第２のメッセージを送信し、該第２のメッセージは、該第２のネットワークデバイスが該端末デバイスに該第１の測定間隔を設定するように要求するメッセージを含み、該第１のネットワークデバイス又は該第２のネットワークデバイスにより送信された該第１のメッセージの応答メッセージを受信し、該第１のメッセージの応答メッセージが該第１の測定間隔を含む。
【０１０１】
任意選択で、該送受信ユニット５１は、さらに、
該第２のネットワークデバイスに第４のメッセージを送信し、該第４のメッセージは、該第２のネットワークデバイスが該端末デバイスに第１の測定間隔を設定するように要求するメッセージを含み、該第１のネットワークデバイス又は該第２のネットワークデバイスにより送信された該第４のメッセージの応答メッセージを受信し、該第４のメッセージの応答メッセージが該第１の測定間隔を含む。
【０１０２】
任意選択で、該第４のメッセージは、該第１のネットワークデバイスの識別情報を含む。
【０１０３】
任意選択で、該指示情報は、該端末デバイスが第２の測定間隔に基づいて該第１の周波数を測定するように指示する。
【０１０４】
任意選択で、該第２の測定間隔は、該第２のネットワークデバイスが該第１のネットワークデバイスにより送信された第３のメッセージを受信する前に又は後に、該端末デバイスに設定された測定間隔であり、該第３のメッセージは、該第２のネットワークデバイスが該端末デバイスに該第２の測定間隔を割り当てるように要求するメッセージを含む。
【０１０５】
任意選択で、該第１のネットワークデバイスと該第２のネットワークデバイスとは、異なる通信システムにそれぞれ属する。
【０１０６】
なお、送受信ユニット５１０は、送受信機によって実現され、測定ユニット５２０は、プロセッサによって実現されてもよい。図７に示すように、端末デバイス６００は、プロセッサ６１０、送受信機６２０、及びメモリ６３０を含む。ここで、メモリ６３０は、指示情報を記憶するために使用されてもよく、プロセッサ６１０が実行するコード、命令などを記憶するために使用されてもよい。端末デバイス６００の各構成要素は、データバスの他に、電源バス、制御バス、ステータス信号バス等のバスシステムにより接続されている。
【０１０７】
図７に示す端末デバイス６００は、前述の図２の方法の実施例における端末デバイスによって実施される様々なプロセスを実施することができ、重複を避けるためにここで説明を省略する。
【０１０８】
なお、本発明の実施例における方法の実施例は、プロセッサに適用されてもよく、又はプロセッサによって実装されてもよい。
【０１０９】
実施において、本発明の実施例における方法の実施例のステップは、プロセッサにおけるハードウェアの集積論理回路またはソフトウェア形態の命令によって実行されてもよい。より具体的には、本発明の実施例に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【０１１０】
プロセッサは、信号の処理能力を有し、本発明の実施例に開示された方法、ステップ、および論理ブロック図を実施または実行することができる集積回路チップであり得る。例えば、上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ ｓｐｅｃｉｆｉｃ ｉｎｔｅｇｒａｔｅｄ ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ  )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【０１１１】
また、本発明の実施例において、メモリは、揮発性メモリまたは不揮発性メモリのいずれであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。上述のメモリは、限定ではなく例示的であるが、例えば、本発明の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )等であってもよいことを理解されたい。すなわち、本明細書に記載のシステム及び方法のメモリは、これら及び任意の他の適切なタイプのメモリを含むことを意図しているが、これらに限定されない。
【０１１２】
最後に、本発明の実施例及び添付の特許請求の範囲で使用される用語は、特定の実施例を説明する目的のために用いられ、本発明の実施例を限定することを意図していないことに留意されたい。
【０１１３】
例えば、本発明の実施例及び添付の特許請求の範囲で使用される単数形の「１つの」、「前記」、及び「該」は、文脈が他の意味を明確に示さない限り、複数形も含むことを意図している。
【０１１４】
また、例えば、文脈に応じて、本明細書で使用される「……で」という用語は、「例えば」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【０１１５】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施例の範囲から逸脱するものと考えられるべきではない。
【０１１６】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１１７】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１１８】
上記分離手段として説明したユニットは、物理的に分離していてもしてなくてもよく、ユニットとして表示する手段は、物理的なユニットであってもなくてもよく、１箇所にあってもよく、あるいは複数のネットワークユニットに分散していてもよい。また、各手段の一部又は全部を、必要に応じて選択して、実施することもできる。
【０１１９】
また、本発明の実施の形態における各機能部は、１つの処理部に集積されていてもよく、各部は、物理的に単独で存在していてもよく、２つ以上の部が１つの処理部に集積されていてもよい。
【０１２０】
ソフトウェア機能単位で実現され、独立した製品として販売又は使用される場合、コンピュータ読み取り可能な記録媒体に格納されてもよい。このような理解に基づいて、本発明の実施例の技術的思想の本質または従来技術に寄与する部分、または技術的思想の部分は、１つのコンピュータ装置(パーソナルコンピュータ、サーバ、またはネットワークデバイスなどであってもよい)に本発明の実施例に係る方法のステップの全部または一部を実行させるための複数の命令を含む１つの記憶媒体に記憶されたソフトウェア製品の形態で具現化されてもよい。また、前記記憶媒体としては、U-ディスク、リムーバブルハードディスク、リードオンリメモリ、ランダムアクセスメモリ、磁気ディスク、光ディスク等のプログラムコードを記憶できる種々の媒体を用いることができる。
【０１２１】
以上、本発明の実施例を具体的に説明したが、本発明の実施例の保護範囲はこれに限定されるものではなく、本発明の実施例の保護範囲内で当業者であれば容易に変更または置換を想到できるものであり、それらも本発明の実施例の保護範囲に包含されるものである。したがって、本発明の実施例の保護範囲は、特許請求の範囲の保護範囲を基準とするべきである。
【図１】
2021508959.tif 000003
【図２】
2021508959.tif 000004
【図３】
2021508959.tif 000005
【図４】
2021508959.tif 000006
【図５】
2021508959.tif 000007
【図６】
2021508959.tif 000008
【図７】
2021508959.tif 000009
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
第１のネットワークデバイスが指示情報を生成することと、
前記第１のネットワークデバイスが端末デバイスに前記指示情報を送信することとを含み、
前記指示情報は、前記端末デバイスが第２のネットワークデバイスの存在する前記第１の周波数を測定するように指示し、
前記第１のネットワークデバイスは、ＬＴＥ( Ｌｏｎｇ Ｔｅｒｍ Ｅｖｏｌｕｔｉｏｎ)システムのネットワークデバイスであり、
前記第２のネットワークデバイスは、ＮＲ（Ｎｅｗ Ｒａｄｉｏ)システムのネットワークデバイスである
ことを特徴とする周波数測定方法。
【請求項２】
前記方法は、さらに、
前記第１のネットワークデバイスが前記端末デバイスにより送信された第１のメッセージを受信することと、
前記第１のネットワークデバイスが前記第１のメッセージに基づいて前記第２のネットワークデバイスに第２のメッセージを送信することとを含み、
前記第１のメッセージが、前記第１のネットワークデバイスが前記端末デバイスに第１の測定間隔を設定するように要求するメッセージを含み、前記第１の測定間隔が、前記端末デバイスが前記第１の周波数を測定するために用いられ、
前記第２のメッセージが、前記第２のネットワークデバイスが前記端末デバイスに前記第１の測定間隔を設定するように要求するメッセージを含む
ことを特徴とする請求項１に記載の周波数測定方法。
【請求項３】
前記方法は、さらに、
前記第１のネットワークデバイスが前記第２のネットワークデバイスにより送信された前記第２のメッセージの応答メッセージを受信することと、
前記端末デバイスが前記第１の測定間隔に応じて前記第１の周波数を測定するように、前記第１のネットワークデバイスが前記第２のメッセージの応答メッセージに基づいて前記端末デバイスに前記第１のメッセージの応答メッセージを送信することとを含み、
前記第２のメッセージの応答メッセージが前記第１の測定間隔を含み、
前記第１のメッセージの応答メッセージが前記第１の測定間隔を含む
ことを特徴とする請求項２に記載の周波数測定方法。
【請求項４】
前記指示情報は、前記端末デバイスが第２の測定間隔に基づいて前記第１の周波数を測定するように指示する
ことを特徴とする請求項１に記載の周波数測定方法。
【請求項５】
前記指示情報を生成する前に、前記方法は、さらに、
前記第１のネットワークデバイスが前記第２のネットワークデバイスに第３のメッセージを送信することと、
前記第１のネットワークデバイスが前記第２のネットワークデバイスにより送信された前記第３のメッセージの応答メッセージを受信することとを含み、
前記第３のメッセージは、前記第２のネットワークデバイスが前記端末デバイスに前記第２の測定間隔を設定するように要求するメッセージを含み、
前記第３のメッセージの応答メッセージが前記第２の測定間隔を含み、
前記指示情報を生成することは、
前記第１のネットワークデバイスが前記第３のメッセージの応答メッセージに基づいて前記指示情報を生成することを含む
ことを特徴とする請求項４に記載の周波数測定方法。
【請求項６】
前記第２の測定間隔は、前記第２のネットワークデバイスが前記第３のメッセージを受信する前に又は後に、前記端末デバイスに設定された測定間隔である
ことを特徴とする請求項５に記載の周波数測定方法。
【請求項７】
端末デバイスが第１のネットワークデバイスにより送信された指示情報を受信することと、
前記端末デバイスが前記指示情報に基づいて第１の周波数を測定することとを含み、
前記指示情報は、前記端末デバイスが第２のネットワークデバイスの存在する第１の周波数を測定するように指示し、
前記第１のネットワークデバイスは、ＬＴＥ( Ｌｏｎｇ Ｔｅｒｍ Ｅｖｏｌｕｔｉｏｎ)システムのネットワークデバイスであり、
前記第２のネットワークデバイスは、ＮＲ（Ｎｅｗ Ｒａｄｉｏ)システムのネットワークデバイスである
ことを特徴とする測定間隔の設定方法。
【請求項８】
前記方法は、さらに、
前記第１のネットワークデバイスが第１のメッセージに基づいて前記第２のネットワークデバイスに第２のメッセージを送信するように、前記端末デバイスが前記第１のネットワークデバイスに前記第１のメッセージを送信することと、
前記端末デバイスが前記第１のネットワークデバイス又は前記第２のネットワークデバイスにより送信された前記第１のメッセージの応答メッセージを受信することとを含み、
前記第１のメッセージが、前記第１のネットワークデバイスが前記端末デバイスに第１の測定間隔を設定するように要求するメッセージを含み、前記第２のメッセージが、前記第２のネットワークデバイスが前記端末デバイスに前記第１の測定間隔を設定するように要求するメッセージを含み、
前記第１のメッセージの応答メッセージが前記第１の測定間隔を含む
ことを特徴とする請求項７に記載の測定間隔の設定方法。
【請求項９】
前記方法は、さらに、
前記端末デバイスが前記第２のネットワークデバイスに第４のメッセージを送信することと、
前記端末デバイスが前記第１のネットワークデバイス又は前記第２のネットワークデバイスにより送信された前記第４のメッセージの応答メッセージを受信することとを含み、
前記第４のメッセージは、前記第２のネットワークデバイスが前記端末デバイスに第１の測定間隔を設定するように要求するメッセージを含み、
前記第４のメッセージの応答メッセージが前記第１の測定間隔を含む
ことを特徴とする請求項７に記載の測定間隔の設定方法。
【請求項１０】
前記指示情報は、前記端末デバイスが第２の測定間隔に応じて前記第１の周波数を測定するように指示する
ことを特徴とする請求項７に記載の測定間隔の設定方法。
【請求項１１】
送受信ユニットと、測定ユニットと、を備える端末デバイスであって、
前記送受信ユニットは、第１のネットワークデバイスにより送信された指示情報を受信するように構成され、前記指示情報は、前記端末デバイスが前記第２のネットワークデバイスの存在する第１の周波数を測定するように指示し、
前記測定ユニットは、前記指示情報に基づいて前記第１の周波数を測定するように構成され、
前記第１のネットワークデバイスは、ＬＴＥ( Ｌｏｎｇ Ｔｅｒｍ Ｅｖｏｌｕｔｉｏｎ)システムのネットワークデバイスであり、
前記第２のネットワークデバイスは、ＮＲ（Ｎｅｗ Ｒａｄｉｏ)システムのネットワークデバイスである
ことを特徴とする端末デバイス。
【請求項１２】
前記送受信ユニットは、さらに、
前記第２のネットワークデバイスに第４のメッセージを送信し、
前記第１のネットワークデバイス又は前記第２のネットワークデバイスにより送信された前記第４のメッセージの応答メッセージを受信するように構成され、
前記第４のメッセージは、前記第２のネットワークデバイスが前記端末デバイスに第１の測定間隔を設定するように要求するメッセージを含み、
前記第４のメッセージの応答メッセージが前記第１の測定間隔を含む
ことを特徴とする請求項１１に記載の端末デバイス。
【請求項１３】
前記第４のメッセージが、前記第１のネットワークデバイスの識別情報を含む
ことを特徴とする請求項１２に記載の端末デバイス。
【請求項１４】
前記指示情報は、前記端末デバイスが第２の測定間隔に応じて前記第１の周波数を測定するように指示する
ことを特徴とする請求項１１に記載の端末デバイス。
【請求項１５】
前記第２の測定間隔は、前記第２のネットワークデバイスが前記第１のネットワークデバイスにより送信された第３のメッセージを受信する前に又は後に、前記端末デバイスに設定された測定間隔であり、前記第３のメッセージは、前記第２のネットワークデバイスが前記端末デバイスに前記第２の測定間隔を割り当てるように要求するメッセージを含む
ことを特徴とする請求項１４に記載の端末デバイス。
【国際調査報告】
2021508959.tif 000010
2021508959.tif 000011
2021508959.tif 000012
2021508959.tif 000013